(57)【要約】【課題】画像データの解像度よりも低い表示解像度の表示装置に対して、専用の回路構成を具備することなく適切な画像表示を実現する。【解決手段】撮像装置１００であって、画像データの異なる位置の画素のデータを所定の規則に従って順次間引いて選択して選択画像データを表示手段に順次出力する第１選択回路７２と、画像データの異なる位置の画素のデータを合成して合成画像データを表示手段に出力する補間回路７３と、画像データの解像度より表示手段の表示解像度の方が低い場合に、第１選択回路７２により生成された選択画像データの出力か、或いは、補間回路７３により生成された合成画像データの出力の選択制御を行う第２選択回路７６とを備える。【選択図】図２
2010258664.tif 000002
【特許請求の範囲】
【請求項１】
画像データを取得する取得手段と、
前記画像データの異なる位置の画素のデータを所定の規則に従って順次間引いて選択して選択画像データを表示手段に順次出力する第１の出力手段と、
前記画像データの異なる位置の画素のデータを合成して合成画像データを前記表示手段に出力する第２の出力手段と、
前記画像データの解像度より前記表示手段の表示解像度の方が低い場合に、前記第１の出力手段による前記選択画像データの出力か、或いは、前記第２の出力手段による前記合成画像データの出力の選択制御を行う制御手段と、
を備えることを特徴とする表示制御装置。
【請求項２】
前記制御手段は、
表示画像の種類及び動作モードのうち少なくとも何れか一を基準として、前記第１の出力手段による前記選択画像データの出力と前記第２の出力手段による前記合成画像データの出力とを切り替えて選択することを特徴とする請求項１に記載の表示制御装置。
【請求項３】
前記画像データに基づく画像の所定の一方向に沿った複数の画素からなるラインのラインデータのうち隣り合う２つのラインデータの差分を検出する検出手段を更に備え、
前記制御手段は、
前記検出手段により検出された前記差分が所定値以上の場合、前記第２の出力手段による前記合成画像データの出力を選択する一方で、前記検出手段により検出された前記差分が所定値未満の場合、前記第１の出力手段による前記選択画像データの出力を選択することを特徴とする請求項１又は２に記載の表示制御装置。
【請求項４】
前記制御手段は、
前記表示手段の表示フレームレートが所定の速度以上の場合、前記第１の出力手段による前記選択画像データの出力を選択する一方で、前記表示手段の表示フレームレートが所定の速度未満の場合、前記第２の出力手段による前記合成画像データの出力を選択することを特徴とする請求項１〜３の何れか一項に記載の表示制御装置。
【請求項５】
前記第１の出力手段は、
前記選択画像データとして、前記画像データを走査してなる奇数ラインデータと偶数ラインデータとを交互に選択して出力し、
前記第２の出力手段は、
前記合成画像データとして、前記奇数ラインデータと前記偶数ラインデータとを合成した合成ラインデータを出力することを特徴とする請求項１〜４の何れか一項に記載の表示制御装置。
【請求項６】
前記表示手段は、
第１の表示手段と、この第１の表示手段の表示解像度の整数分の一の表示解像度を有する第２の表示手段とを含み、
前記画像データの解像度は、前記第１の表示手段の表示解像度と同じであり、
前記画像データを前記第１の表示手段にそのまま出力する第３の出力手段を更に備え、
前記制御手段は、
前記画像データに基づく画像を前記第１の表示手段に表示させる場合、前記第３の出力手段による前記画像データの出力を選択する一方で、前記画像データに基づく画像を前記第２の表示手段に表示させる場合、前記第１の出力手段による前記選択画像データの出力か、或いは、前記第２の出力手段による前記合成画像データの出力を選択することを特徴とする請求項１〜５の何れか一項に記載の表示制御装置。
【請求項７】
前記画像データに基づく画像に重畳される重畳画像の重畳画像データを取得する重畳画像取得手段と、
前記重畳画像取得手段により取得された重畳画像データを前記第１の表示手段又は前記第２の表示手段にそのまま出力する重畳画像出力手段と、
前記重畳画像と前記画像データに基づく画像とを合成した重畳合成画像を前記第１の表示手段に表示させる場合、前記重畳画像出力手段により出力される重畳画像データと、前記第３の出力手段により出力される画像データとを合成する一方で、前記重畳合成画像を前記第２の表示手段に表示させる場合、前記重畳画像出力手段により出力される重畳画像データと、前記第１の出力手段により出力される前記選択画像データか、或いは、前記第２の出力手段により出力される前記合成画像データとを合成する重畳画像合成手段と、を更に備えることを特徴とする請求項６に記載の表示制御装置。
【請求項８】
前記重畳画像合成手段による合成に係る各画像データを記憶する記憶手段を更に備えることを特徴とする請求項７に記載の表示制御装置。
【請求項９】
画像データを取得する取得手段と、
前記画像データに基づく画像を表示する表示手段と、
前記画像データの解像度よりこの表示手段の表示解像度の方が低い場合に、前記画像データの異なる位置の画素のデータを所定の規則に従って順次間引いて選択して選択画像データを前記表示手段に順次出力する第１の出力制御か、或いは、前記画像データの異なる位置の画素のデータを合成して合成画像データを前記表示手段に出力する第２の出力制御の選択制御を行う表示制御手段と、
を備えることを特徴とする表示装置。
【請求項１０】
表示手段による表示を制御する表示制御装置のコンピュータを、
画像データを取得する取得手段、
前記画像データの異なる位置の画素のデータを所定の規則に従って順次間引いて選択して選択画像データを前記表示手段に順次出力する第１の出力手段、
前記画像データの異なる位置の画素のデータを合成して合成画像データを前記表示手段に出力する第２の出力手段、
前記画像データの解像度より前記表示手段の表示解像度の方が低い場合に、前記第１の出力手段による前記選択画像データの出力か、或いは、前記第２の出力手段による前記合成画像データの出力の選択制御を行う制御手段、
として機能させることを特徴とするプログラム。
【発明の詳細な説明】
【技術分野】
【０００１】
本発明は、表示制御装置、表示装置及びプログラムに関する。
【背景技術】
【０００２】
従来、デジタルカメラなどの機器に記憶された画像データの出力先として、当該機器に備えられたＬＣＤや、外部出力としてのＴＶ、ＨＤＭＩ等がある。また、このような機器において、画像データの解像度よりも低い表示解像度の表示装置に当該画像データを出力する場合には、インターレース表示する技術が知られている（例えば、特許文献１参照）。また、インターレース方式の映像信号が入力された場合でも広視野角で色再現性に優れた画像を表示できる画像処理方法が知られている（例えば、特許文献２参照）。
【先行技術文献】
【特許文献】
【０００３】
【特許文献１】特開平０５−２８９０４４号公報
【特許文献２】特２００４−３０２０２３号公報
【発明の概要】
【発明が解決しようとする課題】
【０００４】
ところで、画像データの解像度よりも低い表示解像度の表示装置として、安価な液晶パネルを用いることで表示装置のコストを下げることができるが、出力先に合わせた制御回路のカスタマイズが必要になる。つまり、表示解像度が異なる表示装置に画像データを出力する場合、各表示装置の表示解像度に合わせて夫々の出力先に対応した専用の制御回路を個別に備えなければならないといった問題がある。
【０００５】
そこで、本発明の課題は、画像データの解像度よりも低い表示解像度の表示装置に対して、適切な画像表示を実現することができる表示制御装置、表示装置及びプログラムを提供することである。
【課題を解決するための手段】
【０００６】
上記課題を解決するため、請求項１に記載の発明の表示制御装置は、
画像データを取得する取得手段と、前記画像データの異なる位置の画素のデータを所定の規則に従って順次間引いて選択して選択画像データを表示手段に順次出力する第１の出力手段と、前記画像データの異なる位置の画素のデータを合成して合成画像データを前記表示手段に出力する第２の出力手段と、前記画像データの解像度より前記表示手段の表示解像度の方が低い場合に、前記第１の出力手段による前記選択画像データの出力か、或いは、前記第２の出力手段による前記合成画像データの出力の選択制御を行う制御手段と、を備えることを特徴としている。
【０００７】
請求項２に記載の発明は、請求項１に記載の表示制御装置において、
前記制御手段は、表示画像の種類及び動作モードのうち少なくとも何れか一を基準として、前記第１の出力手段による前記選択画像データの出力と前記第２の出力手段による前記合成画像データの出力とを切り替えて選択することを特徴としている。
【０００８】
請求項３に記載の発明は、請求項１又は２に記載の表示制御装置において、
前記画像データに基づく画像の所定の一方向に沿った複数の画素からなるラインのラインデータのうち隣り合う２つのラインデータの差分を検出する検出手段を更に備え、前記制御手段は、前記検出手段により検出された前記差分が所定値以上の場合、前記第２の出力手段による前記合成画像データの出力を選択する一方で、前記検出手段により検出された前記差分が所定値未満の場合、前記第１の出力手段による前記選択画像データの出力を選択することを特徴としている。
【０００９】
請求項４に記載の発明は、請求項１〜３の何れか一項に記載の表示制御装置において、
前記制御手段は、前記表示手段の表示フレームレートが所定の速度以上の場合、前記第１の出力手段による前記選択画像データの出力を選択する一方で、前記表示手段の表示フレームレートが所定の速度未満の場合、前記第２の出力手段による前記合成画像データの出力を選択することを特徴としている。
【００１０】
請求項５に記載の発明は、請求項１〜４の何れか一項に記載の表示制御装置において、
前記第１の出力手段は、前記選択画像データとして、前記画像データを走査してなる奇数ラインデータと偶数ラインデータとを交互に選択して出力し、前記第２の出力手段は、前記合成画像データとして、前記奇数ラインデータと前記偶数ラインデータとを合成した合成ラインデータを出力することを特徴としている。
【００１１】
請求項６に記載の発明は、請求項１〜５の何れか一項に記載の表示制御装置において、
前記表示手段は、第１の表示手段と、この第１の表示手段の表示解像度の整数分の一の表示解像度を有する第２の表示手段とを含み、前記画像データの解像度は、前記第１の表示手段の表示解像度と同じであり、前記画像データを前記第１の表示手段にそのまま出力する第３の出力手段を更に備え、前記制御手段は、前記画像データに基づく画像を前記第１の表示手段に表示させる場合、前記第３の出力手段による前記画像データの出力を選択する一方で、前記画像データに基づく画像を前記第２の表示手段に表示させる場合、前記第１の出力手段による前記選択画像データの出力か、或いは、前記第２の出力手段による前記合成画像データの出力を選択することを特徴としている。
【００１２】
請求項７に記載の発明は、請求項６に記載の表示制御装置において、
前記画像データに基づく画像に重畳される重畳画像の重畳画像データを取得する重畳画像取得手段と、前記重畳画像取得手段により取得された重畳画像データを前記第１の表示手段又は前記第２の表示手段にそのまま出力する重畳画像出力手段と、前記重畳画像と前記画像データに基づく画像とを合成した重畳合成画像を前記第１の表示手段に表示させる場合、前記重畳画像出力手段により出力される重畳画像データと、前記第３の出力手段により出力される画像データとを合成する一方で、前記重畳合成画像を前記第２の表示手段に表示させる場合、前記重畳画像出力手段により出力される重畳画像データと、前記第１の出力手段により出力される前記選択画像データか、或いは、前記第２の出力手段により出力される前記合成画像データとを合成する重畳画像合成手段と、を更に備えることを特徴としている。
【００１３】
請求項８に記載の発明は、請求項７に記載の表示制御装置において、
前記重畳画像合成手段による合成に係る各画像データを記憶する記憶手段を更に備えることを特徴としている。
【００１４】
請求項９に記載の表示装置は、
画像データを取得する取得手段と、前記画像データに基づく画像を表示する表示手段と、前記画像データの解像度よりこの表示手段の表示解像度の方が低い場合に、前記画像データの異なる位置の画素のデータを所定の規則に従って順次間引いて選択して選択画像データを前記表示手段に順次出力する第１の出力制御か、或いは、前記画像データの異なる位置の画素のデータを合成して合成画像データを前記表示手段に出力する第２の出力制御の選択制御を行う表示制御手段と、を備えることを特徴としている。
【００１５】
請求項１０に記載のプログラムは、
表示手段による表示を制御する表示制御装置のコンピュータを、画像データを取得する取得手段、前記画像データの異なる位置の画素のデータを所定の規則に従って順次間引いて選択して選択画像データを前記表示手段に順次出力する第１の出力手段、前記画像データの異なる位置の画素のデータを合成して合成画像データを前記表示手段に出力する第２の出力手段、前記画像データの解像度より前記表示手段の表示解像度の方が低い場合に、前記第１の出力手段による前記選択画像データの出力か、或いは、前記第２の出力手段による前記合成画像データの出力の選択制御を行う制御手段、として機能させることを特徴としている。
【発明の効果】
【００１６】
本発明によれば、画像データの解像度よりも低い表示解像度の表示装置に対して、適切な画像表示を実現することができる。
【図面の簡単な説明】
【００１７】
【図１】本発明を適用した撮像装置の概略構成を示すブロック図である。
【図２】表示制御部の概略構成を示すブロック図である。
【図３】図１の撮像装置による画像表示処理に係る動作の一例を示すフローチャートである。
【図４】図３の画像表示処理の続きを示すフローチャートである。
【図５】画像データに基づく画像と重畳画像データに基づく重畳画像との合成処理を説明するための画像の一例を模式的に示す図である。
【発明を実施するための形態】
【００１８】
以下に、本発明について、図面を用いて具体的な態様を説明する。ただし、発明の範囲は、図示例に限定されない。
図１は、本発明を適用した一実施形態の撮像装置１００の概略構成を示すブロック図であり、図２は、主として表示制御部７の構成を詳細に示すブロック図である。
【００１９】
本実施形態の撮像装置１００は、メモリ５から取得された画像データの解像度より表示部８の表示解像度の方が低い場合、当該画像データの画素位置の画素のデータを所定の規則に従って順次間引いて選択して選択画像データを表示部８に出力するか、或いは、当該画像データの異なる画素位置の画素のデータを合成して合成画像データを表示部８に出力するかを表示制御部７により選択する。
具体的には、図１に示すように、撮像装置１００は、レンズ部１と、電子撮像部２と、撮像制御部３と、画像データ生成部４と、メモリ５と、メモリ転送制御回路６と、表示制御部７と、表示部８と、外部出力部９と、操作入力部１０と、記録媒体１１と、ＣＰＵ１２とを備えている。
【００２０】
レンズ部１は、複数のレンズから構成され、ズームレンズやフォーカスレンズ等を備えている。
また、レンズ部１は、図示は省略するが、被写体の撮像の際に、ズームレンズを光軸方向に移動させるズーム駆動部、フォーカスレンズを光軸方向に移動させる合焦駆動部等を備えていても良い。
【００２１】
電子撮像部２は、例えば、ＣＣＤ（Charge Coupled Device）やＣＭＯＳ（Complementary Metal-oxide Semiconductor）等のイメージセンサから構成され、レンズ部１の各種レンズを通過した光学像を二次元の画像信号に変換する。
【００２２】
撮像制御部３は、図示は省略するが、タイミング発生器、ドライバなどを備えている。そして、撮像制御部３は、タイミング発生器、ドライバにより電子撮像部２を走査駆動して、所定周期毎に光学像を電子撮像部２により二次元の画像信号に変換させ、当該電子撮像部２の撮像領域から１画面分ずつ画像フレームを読み出して画像データ生成部４に出力させる。
【００２３】
画像データ生成部４は、電子撮像部２から転送された画像フレームのアナログ値の信号に対してＲＧＢの各色成分毎に適宜ゲイン調整した後に、サンプルホールド回路（図示略）でサンプルホールドしてＡ／Ｄ変換器（図示略）でデジタルデータに変換し、カラープロセス回路（図示略）で画素補間処理及びγ補正処理を含むカラープロセス処理を行った後、デジタル値の輝度信号Ｙ及び色差信号Ｃｂ，Ｃｒ（ＹＵＶデータ）を生成する。
カラープロセス回路から出力される輝度信号Ｙ及び色差信号Ｃｂ，Ｃｒは、図示しないＤＭＡコントローラを介して、バッファメモリとして使用されるメモリ５にＤＭＡ転送される。
【００２４】
メモリ５は、例えば、ＤＲＡＭ等により構成され、ＣＰＵ１２等によって処理されるデータ等を一時記憶する。具体的には、図２に示すように、メモリ５は、画像データ用メモリ５１と、重畳画像データ用メモリ５２とを備えている。
【００２５】
画像データ用メモリ５１は、画像データ生成部４から転送された画像データを一時記憶するものである。画像データ用メモリ５１に一時記憶される画像データは、表示部８の表示解像度よりも高い解像度を有する外部の表示装置に対応した解像度で一時記憶可能となっている。
【００２６】
重畳画像データ用メモリ５２は、ＣＰＵ１２や表示制御部７によって処理される重畳画像データを一時記憶する。ここで、重畳画像とは、画像データに基づく画像を表示部８等に表示する際、当該画像に重畳して表示させる文字、図形等の画像をいう。また、重畳画像データ用メモリ５２は、重畳画像データと、重畳画像データに基づく重畳画像を画像データに基づく画像に重畳させる際の指定位置データとを対応付けて記憶する。
【００２７】
メモリ転送制御回路６は、メモリ５に一時記憶された画像データや重畳画像データを表示制御部７に転送する制御を行う。
具体的には、メモリ転送制御回路６は、図２に示すように、奇数ライン選択転送部６１と、偶数ライン選択転送部６２と、全ライン選択転送部６３とを備えている。
【００２８】
奇数ライン選択転送部６１は、メモリ５に一時記憶された画像データを走査してなる奇数ラインの画素データと偶数ラインの画素データのうち奇数ラインの画素データを表示制御部７に転送する制御を行う。
具体的には、奇数ライン選択転送部６１は、奇数ラインの画素データに基づく画像の表示タイミングで、奇数ラインの画素データを表示制御部７に転送し、偶数ラインの画素データに基づく画像の表示タイミングで、次の奇数ラインの画素データを表示制御部７に転送する。
【００２９】
偶数ライン選択転送部６２は、メモリ５に一時記憶された画像データを走査してなる奇数ラインの画素データと偶数ラインの画素データのうち偶数ラインの画素データを表示制御部７に転送する制御を行う。
具体的には、偶数ライン選択転送部６２は、奇数ラインの画素データに基づく画像の表示タイミングで、当該奇数ラインの次の偶数ラインの画素データを表示制御部７に転送し、偶数ラインの画素データに基づく画像の表示タイミングで、その次の偶数ラインの画素データを表示制御部７に転送する。
【００３０】
全ライン選択転送部６３は、メモリ５に一時記憶された重畳画像データを走査してなる各ラインの画素データを表示制御部７に転送する制御を行う。
具体的には、全ライン選択転送部６３は、メモリ５に一時記憶された重畳画像データを走査してなる各ラインの画素データを、当該各ラインの画素データに基づく画像の表示タイミングで、表示制御部７に転送する。
【００３１】
表示制御部（表示制御装置）７は、メモリ転送制御回路６から転送されることで取得された画像データ等を表示手段としての表示部８や外部出力部９に接続された外部の表示装置に表示させる制御を行う。
【００３２】
具体的には、表示制御部７は、図２に示すように、奇数ライン用画素バッファ７０と、偶数ライン用画素バッファ７１と、第１選択回路７２と、補間回路７３と、差分検出回路７４と、フレームレート切換回路７５と、第２選択回路７６と、画素バッファ７７と、カラーパレット変換回路７８と、合成回路７９とを備えている。
【００３３】
奇数ライン用画素バッファ７０は、奇数ライン選択転送部６１から転送された奇数ラインの画素データを一時記憶する。即ち、表示制御部７は、奇数ライン選択転送部６１から転送された奇数ラインの画素データを奇数ライン用画素バッファ７０に一時記憶することで、当該画素データ（画像データ）を取得した状態になる。なお、奇数ライン選択転送部６１を介さず、画像データ用メモリ５１から奇数ラインの画素データを奇数ライン用画素バッファ７０に直接転送するようにしても良い。
ここで、表示制御部７は、画像データを取得する取得手段を構成している。
【００３４】
偶数ライン用画素バッファ７１は、偶数ライン選択転送部６２から転送された偶数ラインの画素データを一時記憶する。即ち、表示制御部７は、偶数ライン選択転送部６２から転送された偶数ラインの画素データを偶数ライン用画素バッファ７１に一時記憶することで、当該画素データ（画像データ）を取得した状態になる。なお、偶数ライン選択転送部６１を介さず、画像データ用メモリ５１から偶数ラインの画素データを偶数ライン用画素バッファ７１に直接転送するようにしても良い。
ここで、表示制御部７は、画像データを取得する取得手段を構成している。
【００３５】
第１選択回路７２は、画像データを走査してなる奇数ラインの画素データと偶数ラインの画素データとを交互に選択して選択画像データを出力する。
具体的には、第１選択回路７２は、奇数ラインの画素データに基づく画像の表示タイミングで、奇数ライン用画素バッファ７０に一時記憶されている奇数ラインの画素データを取得して出力し、偶数ラインの画素データに基づく画像の表示タイミングで、偶数ライン用画素バッファ７１に一時記憶されている偶数ラインの画素データを取得して出力する。
ここで、第１選択回路７２は、画像データの異なる位置のデータを所定の規則に従って順次間引いて選択して選択画像データを表示手段に順次出力する第１の出力手段を構成している。
【００３６】
補間回路７３は、画像データの各フレームで奇数ラインの画素データと偶数ラインの画素データとを合成した合成ラインの画素データ（合成ラインデータ）を出力する。
具体的には、補間回路７３は、奇数ライン用画素バッファ７０に一時記憶されている奇数ラインの画素データと、偶数ライン用画素バッファ７１に一時記憶されている偶数ラインの画素データとを夫々取得して合成することで、表示部８の解像度に対応した合成画像データを生成して出力する。
ここで、補間回路７３は、画像データの異なる位置の画素のデータを合成して合成画像データを表示部８に出力する第２の出力手段を構成している。
【００３７】
差分検出回路（検出手段）７４は、画像データに基づく画像の所定の一方向に沿った複数の画素からなるラインのラインデータのうち隣り合う２つのラインデータの差分を検出する。
具体的には、差分検出回路７４は、奇数ライン用画素バッファ７０に一時記憶されている奇数ラインの画素データと、偶数ライン用画素バッファ７１に一時記憶されている偶数ラインの画素データとを夫々取得して差分を順次検出する。そして、差分検出回路７４は、検出された差分を累積して一定期間内での差分の平均値を出力する。
【００３８】
フレームレート切換回路７５は、例えば、ユーザによる操作入力部１０の所定操作に基づいて所望の動作モード（例えば、早送り再生やコマ送り再生等）が指示されると、当該動作モードに応じて切り換えられた表示フレームレートを指示する所定の信号を第２選択回路７６に出力する。
【００３９】
第２選択回路７６は、第１選択回路７２から出力されて入力された選択画像データ及び補間回路７３から出力されて入力された合成画像データのうち何れか一を選択する。
具体的には、第２選択回路７６は、画像データの解像度より出力先である第２の表示装置（例えば、表示部８等）の表示解像度の方が低い場合に、差分検出回路７４から出力された差分の平均値が所定値以上であれば、補間回路７３から出力されて入力された合成画像データを選択して合成回路７９に出力する。
一方、差分検出回路７４から出力された差分の平均値が所定値未満の場合、第２選択回路７６は、フレームレート切換回路７５から出力されて入力された所定の信号に基づいて、第２の表示装置の表示フレームレートが所定の速度以上であるか否かを判定する。そして、第２選択回路７６は、第２の表示装置の表示フレームレートが所定の速度以上であれば、第１選択回路７２から出力されて入力された選択画像データを選択し、一方、表示フレームレートが所定の速度未満であれば、補間回路７３から出力されて入力された合成画像データを選択して合成回路７９に出力する。
【００４０】
このように、第２選択回路７６は、画像データの解像度より出力先の表示装置（第２の表示装置）の表示解像度の方が低い場合に、第１選択回路７２による選択画像データの出力か、或いは、補間回路７３による合成画像データの出力の選択制御を行う制御手段を構成している。また、第２選択回路７６は、表示画像の種類（例えば、画像データの種類）及び動作モード（例えば、表示フレームレート）のうち少なくとも何れか一を基準として、第１選択回路７２による選択画像データの出力と補間回路７３による合成画像データの出力とを切り替えて選択する。
【００４１】
また、出力先である第１の表示装置（例えば、ＴＶ等）の表示解像度が画像データの解像度以上である場合、第２選択回路７６は、第１選択回路７２から出力されて入力された選択画像データを選択して合成回路７９に出力する。
【００４２】
画素バッファ７７は、全ライン選択転送部６３から転送された重畳画像データの各ラインの画素データを一時記憶する。即ち、表示制御部７は、全ライン選択転送部６３から転送された各ラインの画素データを画素バッファ７７に一時記憶することで、当該画素データ（重畳画像データ）を取得した状態になる。なお、全ライン選択転送部６３を介さず、重畳画像データ用メモリ５２から画素バッファ７７に直接重畳画像データを転送するようにしても良い。
ここで、表示制御部７は、画像データに基づく画像に重畳される重畳画像の重畳画像データを取得する重畳画像取得手段を構成している。
【００４３】
カラーパレット変換回路７８は、画素バッファ７７から入力された重畳画像データの各ラインの画素データのうち、画像に重畳される文字や図形等を表示する部分の画素を所定の色に変換し、その他の画素は透明色に変換して出力する。
【００４４】
合成回路７９は、画像データに基づく画像と重畳画像データに基づく重畳画像とを合成する。
具体的には、重畳画像データに基づく重畳画像と画像データに基づく画像とを合成した重畳合成画像を画像データの解像度と同じ表示解像度を有する第１の表示装置（第１の表示手段；例えば、ＴＶ等）に表示させる場合、合成回路７９は、第２選択回路７６から出力されて入力された選択画像データに係る奇数ラインの画素データと偶数ラインの画素データとを合成する。そして、合成回路７９は、合成した画像と、カラーパレット変換回路７８から出力されて入力された重畳画像データに基づく重畳画像とを合成する。
一方、重畳合成画像を画像データの解像度よりも低い表示解像度を有する第２の表示装置（第２の表示手段；例えば、表示部８等）に表示させる場合、合成回路７９は、カラーパレット変換回路７８から出力されて入力された重畳画像データに基づく重畳画像と、第２選択回路７６から出力されて入力された選択画像データ又は合成画像データに基づく画像とを合成する。
【００４５】
より具体的には、図５に示すように、例えば、出力先として第１の表示装置（例えば、ＴＶ等）が指定されている場合、画像データの解像度は、縦×横が４８０×６４０画素であり、第１の表示装置の表示解像度は、縦×横が４８０×６４０画素であることから、第１の表示装置の表示解像度は画像データの解像度と同じ値となる。この場合、合成回路７９は、先ず、第２選択回路７６から出力されて入力された選択画像データに係る奇数ラインの画素データと偶数ラインの画素データとを合成する。そして、合成回路７９は、合成した画像とカラーパレット変換回路７８から出力されて入力された重畳画像データに基づく重畳画像とを合成する。
一方、出力先として第２の表示装置（例えば、表示部８等）が指定されている場合、画像データの解像度は、縦×横が４８０×６４０画素であるのに対して、表示部８の表示解像度は、縦×横が２４０×６４０画素（第１の表示装置の表示解像度の整数分の一（縦の表示解像度が２分の一）の表示解像度）であることから、表示部８の縦方向の表示解像度の方が画像データのものよりも低くなる。この場合、合成回路７９は、第２選択回路７６から出力されて入力された選択画像データ又は合成画像データに基づく画像と、カラーパレット変換回路７８から出力されて入力された重畳画像データに基づく重畳画像とを合成する。
このとき、重畳画像は、重畳画像データと共に記憶されていた指定位置データに基づき所定の指定位置に合成され、合成の際に、カラーパレット変換回路７８により透明色に変換された部分は画像データに基づく画像を透過表示させるようにする。これにより、重畳画像は、重畳画像データを間引くことなく出力されるので、重畳画像の変形を防止することができ、画像に重畳される文字や図形を見易く表示することができる。
【００４６】
このように、合成回路７９は、画像データに基づく画像と重畳画像データに基づく重畳画像とを合成する重畳画像合成手段を構成している。具体的には、合成回路７９は、重畳画像と画像データに基づく画像とを合成した重畳合成画像を第１の表示装置に表示させる場合、カラーパレット変換回路７８から出力された重畳画像データと、合成回路７９（第３の出力手段）から出力される画像データとを合成する一方で、重畳合成画像を第２の表示装置に表示させる場合、カラーパレット変換回路７８から出力された重畳画像データと、第１選択回路７２から出力された選択画像データか、或いは、補間回路７３から出力された合成画像データとを合成する。
また、合成回路７９は、画像データを、当該画像データの解像度と同じ値の表示解像度を有する第１の表示装置にそのまま出力する第３の出力手段を構成している。
また、カラーパレット変換回路７８及び合成回路７９は、重畳画像データを出力先である第１及び第２の表示装置にそのまま出力する重畳画像出力手段を構成している。
【００４７】
表示部８は、例えば、液晶表示装置であり、表示制御部７からのビデオ信号に基づいて電子撮像部２により撮像された画像などを表示画面に表示する。具体的には、表示部８は、撮像モードにて、レンズ部１、電子撮像部２及び撮像制御部３による被写体の撮像により生成された複数の画像フレームに基づいてライブビュー画像を表示したり、本撮像画像として撮像されたレックビュー画像を表示する。
【００４８】
外部出力部９は、図示は省略するが、ビデオエンコーダ、デジタル−アナログ変換回路、外部出力端子等を備えている。そして、外部出力部９は、表示制御部７から出力されたビデオ信号を、外部出力端子に接続された通信ケーブルを介してＴＶ等の外部の表示装置に出力する。
【００４９】
操作入力部１０は、当該撮像装置１００の所定操作を行うためのものである。具体的には、操作入力部１０は、図示は省略するが、被写体の撮影指示に係るシャッタボタン、撮像モードや機能等の選択指示に係る選択決定ボタン、ズーム量の調整指示に係るズームボタン等を備え、これらのボタンの操作に応じて所定の操作信号をＣＰＵ１２に出力する。
【００５０】
記録媒体１１は、例えば、不揮発性メモリ（フラッシュメモリ）等により構成され、画像データ生成部４により生成された画像データや、画像に重畳させる重畳画像の重畳画像データ等を記憶する。
【００５１】
ＣＰＵ１２は、撮像装置１００の各部を制御するものである。具体的には、ＣＰＵ１２は、撮像装置１００用の各種処理プログラム（図示略）に従って各種の制御動作を行うものである。
【００５２】
次に、撮像装置１００による画像表示処理について、図３、４を参照して説明する。
図３、４は、画像表示処理に係る動作の一例を示すフローチャートである。
【００５３】
図３に示すように、先ず、ＣＰＵ１２は、画像を表示させる表示装置の指定を行う（ステップＳ１）。具体的には、ユーザによる操作入力部１０の所定の選択指示操作に基づいて、ＣＰＵ１２は、表示部８に画像を表示させるか、或いは、外部出力部９に接続された外部の表示装置に画像を表示させるかを指定する。
【００５４】
次いで、ＣＰＵ１２は、指定された表示装置に表示する画像の画像データを取得する処理（ステップＳ２）を行う。具体的には、ユーザによる操作入力部１０の所定の操作に基づいて所望の画像が指定されると、ＣＰＵ１２は、この指定に係る所定の信号に基づき、記録媒体１１等から指定された画像の画像データをメモリ５に転送して画像データ用メモリ５１に一時記憶させる。
【００５５】
そして、ＣＰＵ１２は、メモリ転送制御回路６の奇数ライン選択転送部６１及び偶数ライン選択転送部６２に、画像データ用メモリ５１に一時記憶された画像データをフレーム毎に走査してなる奇数ラインの画素データと偶数ラインの画素データとに分けて交互に選択させる。そして、ＣＰＵ１２は、奇数ライン選択転送部６１に、奇数ラインの画素データを表示制御部７の奇数ライン用画素バッファ７０に転送させる。また、ＣＰＵ１２は、偶数ライン選択転送部６２に、偶数ラインの画素データを表示制御部７の偶数ライン用画素バッファ７１に転送させる。そして、ＣＰＵ１２は、奇数ライン用画素バッファ７０に一時記憶されている奇数ラインの画素データと、偶数ライン用画素バッファ７１に一時記憶されている偶数ラインの画素データとを交互に選択して、選択画像データとして第１選択回路７２に生成させる（ステップＳ３）。
【００５６】
次いで、ＣＰＵ１２は、奇数ライン用画素バッファ７０から出力された奇数ラインの画素データと、偶数ライン用画素バッファ７１から出力された偶数ラインの画素データとを合成してなる合成画像データを補間回路７３に生成させる（ステップＳ４）。
【００５７】
そして、ＣＰＵ１２は、メモリ５に転送された画像データの解像度より表示先として指定された表示装置（例えば、表示部８等）の表示解像度の方が低いか否かの判定（ステップＳ５）を行う。
ここで、画像データの解像度より表示先として指定された表示装置の表示解像度の方が低いと判定されると（ステップＳ５；ＹＥＳ）、即ち、例えば、表示先が表示部８（第２の表示装置）である場合、ＣＰＵ１２は、縦方向に隣り合う２つのライン（奇数ラインと偶数ライン）の画素データの差分が所定値以上か否かの判定（ステップＳ６）を表示制御部７の第２選択回路７６に行わせる。具体的には、差分検出回路７４は、奇数ライン用画素バッファ７０に一時記憶されている奇数ラインの画素データと、偶数ライン用画素バッファ７１に一時記憶されている偶数ラインの画素データとを夫々取得して差分を順次検出する。そして、差分検出回路７４は、検出された差分を累積して一定期間内での差分の平均値を第２選択回路７６に出力する。第２選択回路７６は、差分検出回路７４から出力されて入力された差分の平均値が所定値以上か否かの判定を行う。
【００５８】
ステップＳ６にて、隣り合う２つのラインの画素データの差分が所定値以上でないと判定されると（ステップＳ６；ＮＯ）、ＣＰＵ１２は、画像の表示フレームレートが所定の速度以上か否かの判定（ステップＳ７）を第２選択回路７６に行わせる。具体的には、第２選択回路７６は、フレームレート切換回路７５から出力されて入力された表示フレームレートを指示する所定の信号に基づいて、表示フレームレートが所定の速度以上か否かの判定を行う。
【００５９】
そして、ステップＳ７にて、表示フレームレートが所定の速度以上であると判定されると（ステップＳ７；ＹＥＳ）、ＣＰＵ１２は、第１の出力処理（ステップＳ８）を第２選択回路７６に行わせる。具体的には、ＣＰＵ１２は、第１の出力処理として、第１選択回路７２にて生成された選択画像データを第２選択回路７６から出力させる。
【００６０】
また、ステップＳ６において、隣り合う２つのラインの画素データの差分が所定値以上であると判定されると（ステップＳ６；ＹＥＳ）、ＣＰＵ１２は、第２の出力処理（ステップＳ９）を第２選択回路７６に行わせる。具体的には、ＣＰＵ１２は、補間回路７３にて生成された合成画像データを第２選択回路７６から出力させる。
【００６１】
また、ステップＳ７にて、表示フレームレートが所定の速度以上でないと判定されると（ステップＳ７；ＮＯ）、ＣＰＵ１２は、処理をステップＳ９に移行して、第２の出力処理を第２選択回路７６に行わせる。
【００６２】
また、ステップＳ５にて、画像データの解像度より表示先として指定された表示装置の解像度の方が低くないと判定されると（ステップＳ５；ＮＯ）、即ち、例えば、表示先が第１の表示装置（例えば、ＴＶ等）である場合、ＣＰＵ１２は、第３の出力処理として、第１選択回路７２にて生成された選択画像データを第２選択回路７６から出力させる。そして、ＣＰＵ１２は、第２選択回路７６から出力されて入力された選択画像データとしての奇数ラインの画素データと偶数ラインの画素データとを合成回路７９に合成させる（ステップＳ１０）。
【００６３】
次いで、図４に示すように、ＣＰＵ１２は、ユーザによる操作入力部１０の所定の選択指示操作に基づいて所望の重畳画像の表示指示が有るか否かを判定（ステップＳ１１）する。
ここで、重畳画像の表示指示が有ると判定されると（ステップＳ１１；ＹＥＳ）、ＣＰＵ１２は、この表示指示に係る所定の信号に基づいて、記録媒体１１等から指定された重畳画像の重畳画像データをメモリ５に転送して重畳画像データ用メモリ５２に一時記憶させる。そして、ＣＰＵ１２は、メモリ転送制御回路６の全ライン選択転送部６３に、重畳画像データ用メモリ５２に一時記憶されている所定の重畳画像データの各ラインの画素データを表示制御部７の画素バッファ７７に転送させる。これにより、表示制御部７は、重畳画像データを取得する（ステップＳ１２）。
【００６４】
そして、ＣＰＵ１２は、重畳画像出力処理として、表示制御部７のカラーパレット変換回路７８に、画素バッファ７７に一時記憶された重畳画像データの各ラインの画素データを順次出力させる（ステップＳ１３）。
【００６５】
次いで、ＣＰＵ１２は、第２選択回路７６から出力されて入力された画像データに基づく画像と、カラーパレット変換回路７８から出力されて入力された重畳画像データに基づく重畳画像とを表示制御部７の合成回路７９に合成させる（ステップＳ１４）。具体的には、図５に示すように、例えば、表示先が第１の表示装置（例えば、ＴＶ等）である場合、画像データの解像度は、縦×横が４８０×６４０画素であり、第１の表示装置の表示解像度は、縦×横が４８０×６４０画素であることから、第１の表示装置の表示解像度は画像データの解像度と同じ値となる。この場合、ＣＰＵ１２は、合成回路７９に、先ず、第２選択回路７６から出力されて入力された選択画像データに係る奇数ラインの画素データと偶数ラインの画素データとを合成させる。そして、ＣＰＵ１２は、合成回路７９に、合成した画像とカラーパレット変換回路７８から出力されて入力された重畳画像データに基づく重畳画像とを合成させる。
一方、表示先が表示部８（第２の表示装置）である場合、画像データの解像度は、縦×横が４８０×６４０画素であるのに対して、表示部８の表示解像度は、縦×横が２４０×６４０画素であることから、表示部８の縦方向の表示解像度が画像データのものよりも低くなる。この場合、ＣＰＵ１２は、合成回路７９に、第２選択回路７６から出力されて入力された選択画像データ又は合成画像データに基づく画像と、カラーパレット変換回路７８から出力されて入力された重畳画像データに基づく重畳画像とを合成させる。
【００６６】
そして、ＣＰＵ１２は、出力先に指定された表示装置に合成された画像を表示して（ステップＳ１５）、画像表示処理を終了する。
また、ステップＳ１１にて、重畳画像の表示指示がないと判定されると（ステップＳ１１；ＮＯ）、ＣＰＵ１２は、出力先に指定された表示装置に画像データに基づく画像を表示して（ステップＳ１５）、画像表示処理を終了する。
なお、第２選択回路７６による画像データの出力方法の選択は、差分検出回路７４およびフレームレート切換回路７５からの出力信号によって自動選択する他、ユーザによる操作入力部１０の所定操作によって手動選択するようにしてもよい。
また、第２選択回路７６による画像データの出力方法の自動選択は、画像データの種類（差分検出回路７４の出力信号）や表示フレームレート（フレームレート切換回路７５の出力信号）の他、表示装置の特性（例えば、ＣＲＴやＬＣＤなどの残像の長さの違い）を検出して当該表示装置の特性に基づいて行うようにしてもよい。
【００６７】
以上のように、本実施形態の撮像装置１００によれば、ユーザによって指定された所望の画像の画像データより表示先として指定された表示装置（例えば、表示部８等）の解像度の方が低い場合、第２選択回路７６は、奇数ラインの画素データに基づく画像の表示タイミングで、奇数ライン用画素バッファ７０に一時記憶されている奇数ラインの画素データを選択して取得し、偶数ラインの画素データに基づく画像の表示タイミングで、偶数ライン用画素バッファ７１に一時記憶されている偶数ラインの画素データを選択して取得することにより生成された選択画像データを出力するか、或いは、奇数ライン用画素バッファ７０に一時記憶されている奇数ラインの画素データと、偶数ライン用画素バッファ７１に一時記憶されている偶数ラインの画素データとを合成することで生成された合成画像データを出力するかを選択することができる。
従って、画像データの解像度よりも低い表示解像度の表示装置に画像データを出力する場合、第２選択回路７６によって画像データの出力方法を選択することができ、例えば、表示先の表示装置の特性、表示フレームレート、画像データの種類、またはユーザの好みなどが異なる場合であっても適切な状態で画像を表示させることができる。
また、奇数ラインの画素データと偶数ラインの画素データの交互選択または合成による解像度の変更処理の有無を、出力先の表示装置の表示解像度に応じて切り換えられるようにしたので、解像度の異なる複数の表示装置の各々に対応した専用の回路構成を具備する必要がなくなり、回路規模の減少を図ることができる。
【００６８】
また、第２選択回路７６は、差分検出回路７４から出力された差分の平均値が所定値以上であれば、奇数ライン用画素バッファ７０に一時記憶されている奇数ラインの画素データと偶数ライン用画素バッファ７１に一時記憶されている偶数ラインの画素データとを補間回路７３に合成させることで生成された合成画像データを出力することができる。即ち、差分検出回路７４から出力された差分が所定値以上であれば、各ラインデータ間において生成された合成画像データを出力することで、各ラインデータが大きく異なる場合に生じるちらつきを好適に防止することができる。
また、第２選択回路７６は、差分検出回路７４から出力された差分の平均値が所定値未満であり、画像データに基づく画像の表示フレームレートが所定の速度以上であれば、第１選択回路７２によって、奇数ラインの画素データに基づく画像の表示タイミングで、奇数ライン用画素バッファ７０に一時記憶されている奇数ラインの画素データを選択させ、偶数ラインの画素データに基づく画像の表示タイミングで、偶数ライン用画素バッファ７１に一時記憶されている偶数ラインの画素データを選択させて取得された選択画像データを出力することができる。即ち、差分検出回路７４から出力された差分が所定値未満であり、表示フレームレートが所定の速度以上であれば、奇数ラインの画素データと偶数ラインの画素データとを選択して出力することで、視覚的に見かけの解像度を向上させることができる。
従って、画像データの解像度よりも低い表示解像度の表示装置（第２の表示装置）に画像データを出力する場合、第２選択回路７６によって、画像データの種類、表示フレームレート、または表示先の表示装置の特性などに応じた画像データの出力方法の自動選択が行われるので、容易かつ確実により適切な状態で画像を表示させることができる。また、このような制御を行うために専用の回路構成を具備する必要がなくなる。
【００６９】
また、第２選択回路７６は、画像データに基づく画像の表示フレームレートが所定の速度未満であれば、奇数ライン用画素バッファ７０に一時記憶されている奇数ラインの画素データと偶数ライン用画素バッファ７１に一時記憶されている偶数ラインの画素データとを補間回路７３に合成させることで生成された合成画像データを出力することができる。即ち、画像データに基づく画像の表示フレームレートが所定の速度未満であれば、各ラインデータ間において生成された合成画像データを出力することで、表示フレームレートを遅くした場合に視認可能となるちらつきを好適に防止することができる。
従って、画像データの解像度よりも低い表示解像度の表示装置（第２の表示装置）に画像データを出力する場合、第２選択回路７６によって、画像データの種類、表示フレームレート、または表示先の表示装置の特性などに応じた画像データの出力方法の自動選択が行われるので、容易かつ確実により適切な状態で画像を表示させることができる。また、このような制御を行うために専用の回路構成を具備する必要がなくなる。
【００７０】
また、表示制御部７は、メモリ５に一時記憶された重畳画像データについては、当該重畳画像データを走査してなる各ラインの画素データを順次出力する、即ち、各ラインの画素データを間引くことなく出力するので、重畳画像の変形を防止することができ、画像データに基づく画像に重畳される文字や図形を見易く表示することができる。
【００７１】
また、ユーザによって指定された所望の画像の画像データより表示先として設定された表示装置（第２の表示装置）の解像度の方が低い場合であっても、当該画像データの解像度と当該表示装置（第１の表示装置）の表示解像度が同じ値の場合であっても、画像データ及び重畳画像データの両方を、メモリ５の画像データ用メモリ５１、又は、重畳画像データ用メモリ５２に一時記憶することができるとともに、当該画像データに基づく画像と重畳画像データに基づく重畳画像との合成制御を表示制御部７の合成回路７９で行うことができる。
従って、表示先の表示装置に応じたメモリ（記憶手段）、表示制御部をそれぞれ備える必要がなくなる。
【００７２】
なお、本発明は、上記実施形態に限定されることなく、本発明の趣旨を逸脱しない範囲において、種々の改良並びに設計の変更を行っても良い。
例えば、上記実施形態にあっては、画像表示処理において、隣り合うラインデータの差分が所定値以上であるか否かの判定（ステップＳ６）と、表示フレームレートが所定の速度以上か否かの判定（ステップＳ７）とを行うようにしたが、これに限らず、これら２つの判定処理のうち何れか一方を行うようにしても良い。
また、上記実施形態にあっては、これら２つの判定処理のＡＮＤ条件（ステップＳ６でＮＯかつステップＳ７でＹＥＳ）で第１の出力処理を行うようにしたが、これら２つの判定処理のＯＲ条件（ステップＳ６でＮＯまたはステップＳ７でＹＥＳ）で第１の出力処理を行うようにしてもよい。
即ち、上記実施形態にあっては、第２選択回路７６は、差分検出回路７４から出力された差分の平均値が所定値未満で、且つ、出力先の表示装置の表示フレームレートが所定の速度以上である場合に、第１選択回路７２による選択画像データの出力処理を行うようにしたが、差分検出回路７４から出力された差分の平均値が所定値未満の場合、第１選択回路７２による選択画像データの出力処理を行い、一方、差分検出回路７４から出力された差分の平均値が所定値以上の場合、補間回路７３による合成画像データの出力処理を行うようにしても良い。
また、第２選択回路７６は、差分検出回路７４から出力された差分の平均値に関わらず、出力先の表示装置の表示フレームレートが所定の速度以上であれば、第１選択回路７２から出力されて入力された選択画像データを選択し、一方、表示フレームレートが所定の速度未満であれば、補間回路７３から出力されて入力された合成画像データを選択して合成回路７９に出力するようにしても良い。
【００７３】
また、上記実施形態にあっては、メモリ５に転送された画像データの解像度より表示先として指定された表示装置の表示解像度の方が低いか否かの判定（ステップＳ５）において、画像データの解像度より表示先として指定された表示装置の表示解像度の方が低いと判定されないと（ステップＳ５；ＮＯ）、ＣＰＵ１２は、第３の出力処理（ステップＳ１０）を行うようにしたが、これに限らず、第３の出力処理を行うか否かは任意であっても良い。
【００７４】
また、上記実施形態にあっては、所定の重畳画像の表示指示が有るか否かを判定（ステップＳ１１）において、重畳画像の表示指示が有ると判定されると（ステップＳ１１；ＹＥＳ）、画像データに基づく画像と重畳画像データに基づく重畳画像とを合成するようにしたが、これに限らず、画像データに基づく画像と重畳画像データに基づく重畳画像とを合成するか否かは任意であっても良い。
また、上記実施形態にあっては、奇数ラインと偶数ラインとを選択または合成することで解像度を２分の１に変化させたが、３つのラインを選択または合成することにより解像度を３分の１に変化させたり、それ以外の任意の数のラインを選択または合成することで任意の解像度に変化させるようにしてもよい。
【００７５】
また、撮像装置１００の構成は、上記実施形態に例示したものは一例であり、これに限られるものではない。即ち、表示制御装置として、撮像装置１００に備わる表示制御部７を例示したが、これに限られるものではなく、画像データを取得する取得手段と、画像データの異なる位置の画素のデータを所定の規則に従って順次間引いて選択して選択画像データを表示手段に順次出力する第１の出力手段と、画像データの異なる位置の画素のデータを合成して合成画像データを表示手段に出力する第２の出力手段と、画像データの解像度より表示手段の表示解像度の方が低い場合に、第１の出力手段による選択画像データの出力か、或いは、第２の出力手段による合成画像データの出力の選択制御を行う制御手段とを少なくとも備えるものであれば如何なる構成のものであっても良い。
また、表示制御部７は、第１の出力手段、第２の出力手段及び制御手段に替えて、画像データの解像度より表示手段の表示解像度の方が低い場合に、画像データの異なる位置の画素のデータを所定の規則に従って順次間引いて選択して選択画像データを表示手段に順次出力する第１の出力制御か、或いは、画像データの異なる位置の画素のデータを合成して合成画像データを表示手段に出力する第２の出力制御の選択制御を行う表示制御手段を備えるようにしても良い。
さらに、撮像装置１００に、画像データに基づく画像を表示する表示部（表示手段）８を備えて表示装置を構成するようにしたが、これに限られるものではなく、表示装置は、取得手段と、表示手段と、上記の表示制御手段とを少なくとも備えるものであれば如何なる構成のものであっても良い。
【００７６】
さらに、上記実施形態にあっては、取得手段、第１の出力手段、第２の出力手段、制御手段としての機能を、ＣＰＵ１２の制御下にて、表示制御部７が駆動することにより実現される構成としたが、これに限られるものではなく、ＣＰＵ１２によって所定のプログラム等が実行されることにより実現される構成としても良い。
即ち、プログラムを記憶するプログラムメモリ（図示略）に、取得処理ルーチン、第１の出力処理ルーチン、第２の出力処理ルーチン、制御処理ルーチンを含むプログラムを記憶しておく。そして、取得処理ルーチンによりＣＰＵ１２を、画像データを取得する取得手段として機能させるようにしても良い。また、第１の出力処理ルーチンによりＣＰＵ１２を、画像データの異なる位置の画素のデータを所定の規則に従って順次間引いて選択して選択画像データを表示手段に順次出力する第１の出力手段として機能させるようにしても良い。また、第２の出力処理ルーチンによりＣＰＵ１２を、画像データの異なる位置の画素のデータを合成して合成画像データを表示手段に出力する第２の出力手段として機能させるようにしても良い。また、制御処理ルーチンによりＣＰＵ１２を、画像データの解像度より表示手段の表示解像度の方が低い場合に、第１の出力処理ルーチンによる選択画像データの出力か、或いは、第２の出力処理ルーチンによる合成画像データの出力の選択制御を行う制御手段として機能させるようにしても良い。
【符号の説明】
【００７７】
１００  撮像装置
５      メモリ
５１    画像データ用メモリ
５２    重畳画像データ用メモリ
６      メモリ転送制御回路
６１    奇数ライン選択転送部
６２    偶数ライン選択転送部
６３    全ライン選択転送部
７      表示制御部
７０    奇数ライン用画素バッファ
７１    偶数ライン用画素バッファ
７２    第１選択回路
７３    補間回路
７４    差分検出回路
７６    第２選択回路
７７    画素バッファ
７８    カラーパレット変換回路
７９    合成回路
８      表示部
９      外部出力部
１２    ＣＰＵ
【図１】
2010258664.tif 000003
【図２】
2010258664.tif 000004
【図３】
2010258664.tif 000005
【図４】
2010258664.tif 000006
【図５】
2010258664.tif 000007